(57)【特許請求の範囲】
【請求項１】
相手側コネクタとの嵌合状態をロックする回転可能なロックレバーと、
前記ロックレバーに操作されると相手側コネクタとの導通を可能にする信号を生成し、前記ロックレバーに操作されていない状態では前記相手側コネクタとの導通を遮断する信号を生成するか、あるいは前記相手側コネクタとの導通を可能にする信号を生成しないスイッチを含み、第１の位置と第２の位置の間を移動可能に設けられたスイッチ機構と、
前記ロックレバーおよび前記スイッチ機構を収納するシェルと、
前記シェルの外部に少なくとも一部が露出するように前記シェルに設けられ、カバー側保持部を有するカバーと、
前記スイッチ機構に設けられ、前記カバー側保持部と接触することにより前記スイッチ機構を前記第１の位置に保持するスイッチ側保持部と、
を有し、
前記ロックレバーは、
回転の中心となる回転軸と、
前記相手側コネクタと接触し合うロック部と、
前記回転軸に対して前記ロック部と反対側に設けられ、前記スイッチを操作可能な操作部と、
を有し、
前記第１の位置に前記スイッチ機構がある場合、前記ロックレバーが回転することにより前記操作部が前記スイッチを操作可能であり、
前記カバー側保持部と前記スイッチ側保持部が接触していない状態では、前記スイッチ機構は前記第２の位置に設けられ、前記スイッチ機構が前記第２の位置にある場合、前記操作部が前記スイッチを操作不可能であること特徴とする電気コネクタ。
【請求項２】
前記スイッチ機構は、
前記スイッチに設けられた移動プレートと、
前記移動プレートに設けられ、前記カバーと接触し合う前記スイッチ側保持部としての移動プレート側突起を有し、
前記カバー側保持部は、前記移動プレート側突起と接触し合うカバー側突起である、請求項１に記載の電気コネクタ。
【請求項３】
前記移動プレートに設けられ、前記移動プレートに対し、前記第１の位置から前記第２の位置に向けて力を加えるばねと、
前記シェルに設けられ、前記ばねを保持する固定プレートと、
前記移動プレートを回転可能に前記シェルに保持する移動プレート保持軸と、
を有する請求項２に記載の電気コネクタ。
【請求項４】
前記スイッチはばね片を有し、前記ばね片が前記操作部に押圧されることにより前記相手側コネクタとの導通を可能にする信号を生成し、前記ばね片が前記操作部に押圧されていない状態では前記相手側コネクタとの導通を遮断する信号を生成するか、あるいは前記相手側コネクタとの導通を可能にする信号を生成しない、請求項１〜３のいずれか一項に記載の電気コネクタ。
【請求項５】
前記シェルは、前記相手側コネクタと嵌合する向きに対して逆の向きの端部に形成された強制解除治具挿入孔を有し、
前記カバーは前記強制解除治具挿入孔を覆うように前記シェルに設けられ、前記相手側コネクタと嵌合する向きに対して逆向きに移動することにより前記シェルから取り外し可能である、請求項１〜４のいずれか一項に記載の電気コネクタ。
【請求項６】
前記ロックレバーは、前記カバー側保持部と前記スイッチ側保持部が接触していない状態で、前記強制解除治具挿入孔から視認可能な位置にある、請求項５に記載の電気コネクタ。
【請求項７】
前記移動プレートは、
前記第２の位置から前記第１の位置に向けて前記スイッチ機構を移動させる際にガイドとなるガイド部を有し、
前記シェルは、前記スイッチ機構が前記第２の位置にある場合に前記ガイド部を外部から視認可能な復帰孔を有する、請求項２〜６のいずれか一項に記載の電気コネクタ。
【請求項８】
請求項７に記載の電気コネクタの前記復帰孔に挿入される軸形状の挿入部と、
前記挿入部の径方向に突出するように前記挿入部の先端部に設けられ、前記復帰孔に挿入されると前記ガイド部と接触する板状の鍵部と、を有し、
前記第２の位置に前記スイッチ機構がある状態で前記復帰孔に前記挿入部を挿入して前記鍵部を前記ガイド部に接触させ、
前記鍵部を回転させることにより前記ガイド部を前記第１の位置に向けて押圧して、前記スイッチ機構を前記第１の位置に配置可能な復帰用治具。
【発明の詳細な説明】
【技術分野】
【０００１】
本発明は、電気コネクタおよび復帰用治具に関する。
【背景技術】
【０００２】
電気コネクタにおけるコネクタとインレットの嵌合構造においては、所定の嵌合位置に達するとコネクタがインレットから抜けないようにするロック部を設ける場合がある。
【０００３】
また、このような構造では、コネクタをインレットから取り外す際にロック部によるロックを解除するためのリリースボタン等の解除部も必要となる。
【０００４】
一方で、このような構造においては、解除部の破損や、コネクタ内に異物が侵入してロック部に挟まる等の原因により、解除部によるロックの解除ができなくなる場合がある。
【０００５】
そのため、このような構造においては、解除部を用いずにロックを強制解除してコネクタをインレットから取り外すための構造（以下、緊急離脱構造とも称す）も必要となる。
【０００６】
緊急離脱構造としては、例えば特許文献１に記載のように、ロックレバーをコネクタのカバーに保持する軸を外部から引き抜くことにより、ロックを解除する構造がある（特許文献１）。
【０００７】
この構造について、図２４を参照して具体的に説明する。
【０００８】
図２４に示すように、特許文献１の車両用充電コネクタ１００は車両側インレットとの嵌合状態をロックするための抜け止めフック１１を有する第１搖動アーム１０、および第１搖動アーム１０によるロックを解除するためのスライドスイッチ４を有している。また、第１搖動アーム１０は軸１３によって回転可能に車両用充電コネクタ１００のカバーに保持されている。さらに、軸１３は外部から装着・離脱可能になっている。
【０００９】
この構造では、スライドスイッチ４による抜け止めフック１１のロック解除ができない場合は、軸１３をカバー外部に引き抜くことにより第１搖動アーム１０のカバーへの保持を解除し、抜け止めフック１１が車両側インレットから外れるようにしてロックを強制解除する。
【先行技術文献】
【特許文献】
【００１０】
【特許文献１】特許第５６５９４４４号
【発明の概要】
【発明が解決しようとする課題】
【００１１】
しかしながら、特許文献１の構造では、軸１３をカバーから引き抜く際、即ち強制解除の際には車両用充電コネクタ１００と車両側インレットが導通している可能性がある。そのため、強制解除の際に漏電や感電の恐れがあるという問題があった。
【００１２】
本発明は上記問題に鑑みてなされたものであり、その課題は、従来よりも安全に強制解除が可能な電気コネクタを提供することにある。
【課題を解決するための手段】
【００１３】
上記課題を解決するため、本発明の第１の態様によれば、相手側コネクタとの嵌合状態をロックする回転可能なロックレバーと、前記ロックレバーに操作されると相手側コネクタとの導通を可能にする信号を生成し、前記ロックレバーに操作されていない状態では前記相手側コネクタとの導通を遮断する信号を生成するか、あるいは前記相手側コネクタとの導通を可能にする信号を生成しないスイッチを含み、第１の位置と第２の位置の間を移動可能に設けられたスイッチ機構と、前記ロックレバーおよび前記スイッチ機構を収納するシェルと、前記シェルの外部に少なくとも一部が露出するように前記シェルに設けられ、カバー側保持部を有するカバーと、前記スイッチ機構に設けられ、前記カバー側保持部と接触することにより前記スイッチ機構を前記第１の位置に保持するスイッチ側保持部と、を有し、前記ロックレバーは、回転の中心となる回転軸と、前記相手側コネクタと接触し合うロック部と、前記回転軸に対して前記ロック部と反対側に設けられ、前記スイッチを操作可能な操作部と、を有し、前記第１の位置に前記スイッチ機構がある場合、前記ロックレバーが回転することにより前記操作部が前記スイッチを操作可能であり、前記カバー側保持部と前記スイッチ側保持部が接触していない状態では、前記スイッチ機構は前記第２の位置に設けられ、前記スイッチ機構が前記第２の位置にある場合、前記操作部が前記スイッチを操作不可能であること特徴とする電気コネクタが得られる。
【００１４】
前記スイッチ機構は、前記スイッチに設けられた移動プレートと、前記移動プレートに設けられ、前記カバーと接触し合う前記スイッチ側保持部としての移動プレート側突起を有してもよく、前記カバー側保持部は、前記移動プレート側突起と接触し合うカバー側突起であってもよい。
【００１５】
前記電気コネクタは、前記移動プレートに設けられ、前記移動プレートに対し、前記第１の位置から前記第２の位置に向けて力を加えるばねと、前記シェルに設けられ、前記ばねを保持する固定プレートと、前記移動プレートを回転可能に前記シェルに保持する移動プレート保持軸と、を有してもよい。
【００１６】
前記スイッチはばね片を有してもよい。この場合、前記スイッチは、前記ばね片が前記操作部に押圧されることにより前記相手側コネクタとの導通を可能にする信号を生成し、前記ばね片が前記操作部に押圧されていない状態では前記相手側コネクタとの導通を遮断する信号を生成するか、あるいは前記相手側コネクタとの導通を可能にする信号を生成しない。
【００１７】
前記シェルは、前記相手側コネクタと嵌合する向きに対して逆の向きの端部に形成された強制解除治具挿入孔を有し、前記カバーは前記強制解除治具挿入孔を覆うように前記シェルに設けられ、前記相手側コネクタと嵌合する向きに対して逆向きに移動することにより前記シェルから取り外し可能な構造でもよい。
【００１８】
前記ロックレバーは、前記カバー側保持部と前記スイッチ側保持部が接触していない状態で、前記強制解除治具挿入孔から視認可能な位置にあってもよい。
【００１９】
前記移動プレートは、前記第２の位置から前記第１の位置に向けて前記スイッチ機構を移動させる際にガイドとなるガイド部を有してもよく、この場合、前記シェルは、前記スイッチ機構が前記第２の位置にある場合に前記ガイド部を外部から視認可能な復帰孔を有してもよい。
【００２０】
本発明の第２の態様によれば、第１の態様に記載の電気コネクタの前記復帰孔に挿入される軸形状の挿入部と、前記挿入部の径方向に突出するように前記挿入部の先端部に設けられ、前記復帰孔に挿入されると前記ガイド部と接触する板状の鍵部と、を有し、前記第２の位置に前記スイッチ機構がある状態で前記復帰孔に前記挿入部を挿入して前記鍵部を前記ガイド部に接触させ、前記鍵部を回転させることにより前記ガイド部を前記第１の位置に向けて押圧して、前記スイッチ機構を前記第１の位置に配置可能な復帰用治具が得られる。
【発明の効果】
【００２１】
本発明によれば、従来よりも安全に強制解除が可能な電気コネクタを提供することができる。
【図面の簡単な説明】
【００２２】
【図１】本発明の実施形態に係るコネクタユニット２００を示す斜視図である。
【図２】図１のコネクタユニット２００をＹ方向負の向きから見た側面図（一部断面図）である。
【図３】図２のコネクタ１の外殻シェル１０１付近の拡大図である。
【図４】図３の移動プレート１３１、固定プレート１４１、コイルばね１４５、スイッチ１０６およびカバー１２１のみを図示したものである。
【図５】図４において、カバー１２１のカバー側突起１５５を移動プレート側突起１３３から取り外した状態を示す図である。
【図６】図１においてコネクタ１をＸ方向正の向きから見た背面図であり、カバー１２１を取り外した状態を示す。
【図７】コネクタユニット２００の嵌合時のロックレバー１０４、スイッチ１０６、およびリリースレバー１０５の動作を説明するためのコネクタユニット２００の側面図（一部断面図）である。
【図８】コネクタユニット２００の嵌合時のロックレバー１０４、スイッチ１０６、およびリリースレバー１０５の動作を説明するためのコネクタユニット２００の側面図（一部断面図）である。
【図９】コネクタユニット２００の嵌合時のロックレバー１０４、スイッチ１０６、およびリリースレバー１０５の動作を説明するためのコネクタユニット２００の側面図（一部断面図）である。
【図１０】コネクタユニット２００の嵌合時のロックレバー１０４、スイッチ１０６、およびリリースレバー１０５の動作を説明するためのコネクタユニット２００の側面図（一部断面図）である。
【図１１】強制解除の手順を説明するためのコネクタユニット２００の側面図（一部断面図）図である。
【図１２】強制解除の手順を説明するためのコネクタユニット２００の側面図（一部断面図）図である。
【図１３】強制解除の手順を説明するためのコネクタ１の側面図（一部断面図）図である。
【図１４】図１３の１４−１４断面図である。
【図１５】再度ロックレバー１０４が動くようになったコネクタ１を使用可能な状態に復帰させるための手順を説明するためのコネクタ１の斜視図である。
【図１６】再度ロックレバー１０４が動くようになったコネクタ１を使用可能な状態に復帰させるための手順を説明するためのコネクタ１の斜視図である。
【図１７】再度ロックレバー１０４が動くようになったコネクタ１を使用可能な状態に復帰させるための手順を説明するためのコネクタ１の斜視図である。
【図１８】再度ロックレバー１０４が動くようになったコネクタ１を使用可能な状態に復帰させるための手順を説明するためのコネクタ１の側面図（一部断面図）であり、図１７の状態に対応する図である。
【図１９】図１８の領域Ｒ１の拡大図である。
【図２０】再度ロックレバー１０４が動くようになったコネクタ１を使用可能な状態に復帰させるための手順を説明するためのコネクタ１の側面図（一部断面図）である。
【図２１】図２０の領域Ｒ２の拡大図である。
【図２２】再度ロックレバー１０４が動くようになったコネクタ１を使用可能な状態に復帰させるための手順を説明するためのコネクタ１の側面図（一部断面図）である。
【図２３】図２２の領域Ｒ３の拡大図である。
【図２４】従来の車両用充電コネクタ１００を示す斜視図である。
【発明を実施するための形態】
【００２３】
以下、図面を参照して本発明に好適な実施形態について詳細に説明する。 
まず、図１及び図２を参照して、第１の実施形態に係るコネクタユニット２００（電気コネクタユニット）の概略について説明する。
【００２４】
ここでは、コネクタユニット２００として、電気自動車の充電器用のコネクタユニットが例示されている。
【００２５】
なお、以下の説明では部材の向きを、直交座標系を用いて表すものとし、図１に示すように、Ｘ方向、Ｘ方向に直交するＹ方向、Ｘ方向およびＹ方向に直交するＺ方向を直交座標系における３つの方向として定義する。
【００２６】
また、Ｘ方向、Ｙ方向、Ｚ方向において、図１の矢印が示す向きを「正の向き」とし、矢印が示す向きと逆向きを「負の向き」とする。
【００２７】
図１および図２に示すように、コネクタユニット２００は、電気コネクタとしてのコネクタ１と、コネクタ１と嵌合する相手側コネクタとしてのインレット２を有している。
【００２８】
ここでは、コネクタ１は充電器側に設けられたコネクタであり、インレット２は電気自動車側に設けられたコネクタである。
【００２９】
図１および図２に示すように、コネクタ１は、さらに、インレット２との嵌合状態をロックする回転可能なロックレバー１０４と、ロックレバー１０４に操作される（ここではロックレバー１０４によって押圧される）とコネクタ１とインレット２との導通を可能にする信号を生成し、ロックレバー１０４に操作されていない状態ではコネクタ１とインレット２との導通を遮断する信号を生成するか、あるいはコネクタ１とインレット２との導通を可能にする信号を生成しないスイッチ１０６を含み、第１の位置Ｐ１と第２の位置Ｐ２（図５参照）の間を移動可能に設けられたスイッチ機構１１１と、ロックレバー１０４およびスイッチ１０６を収納するシェルとしての外殻シェル１０１と、外殻シェル１０１の外部に少なくとも一部が露出するように外殻シェル１０１に設けられ（ここではスイッチ機構１１１に着脱可能になるように外殻シェル１０１の外部に設けられ）、スイッチ機構１１１を第１の位置Ｐ１に保持するカバー側保持部としてのカバー側突起１５５を有するカバー１２１を有する。
【００３０】
また、スイッチ機構１１１はカバー側突起１５５と接触することによりスイッチ機構１１１を第１の位置Ｐ１に保持するスイッチ側保持部としての移動プレート側突起１３３（図４参照）を有する。
【００３１】
また、ロックレバー１０４は、回転の中心となる回転軸１０４Ｄと、インレット２と接触し合う爪状のロック部１０４Ａと、回転軸１０４Ｄに対してロック部１０４Ａと反対側に設けられ、スイッチ１０６を操作可能な操作部１０４Ｃを有する。
【００３２】
次に、図２〜図６を参照してコネクタ１およびインレット２の構造の詳細について説明する。
【００３３】
図２に示すように、コネクタ１は、外殻シェル１０１、外殻シェル１０１の一端に設けられ、充電の際に作業者がコネクタ１を保持するためのグリップ１０２、端部が露出するように外殻シェル１０１の内部に設けられ、コンタクト１０８が収納された内部ハウジング１０３、外殻シェル１０１内に設けられ、コンタクト１０８に接続されたケーブル１０９、外殻シェル１０１の内部に設けられ、嵌合時（充電時）にコネクタ１とインレット２の嵌合状態をロックするロックレバー１０４、ケーブル１０９に接続され、ロックレバー１０４の中途嵌合を検出するスイッチ１０６、およびロックレバー１０４によるロックを解除する解除部としてのリリースレバー１０５を有している。
【００３４】
一方、図２に示すように、インレット２は、コネクタ１が挿入される筒状のハウジング２０１、ハウジング２０１の内周に設けられ、ロック時にロックレバー１０４のロック部１０４Ａと接触し合う凹部状のインレット側ロック部２０２、端部が露出するようにハウジング２０１に設けられ、コネクタ１のコンタクト１０８と電気的に接続されるコンタクト２０３、およびコンタクト２０３に接続されたケーブル２０４を有している。
【００３５】
外殻シェル１０１はコネクタ１の外側のカバーであり、図３に示すように、筒状の大径部１０１Ｃと、大径部１０１ＣのＸ方向正の向きの先端に設けられ、大径部１０１Ｃよりも径が小さく、かつ、大径部１０１Ｃと中心軸が一致するような筒状の小径部１０１Ｂを有している。 
なお、小径部１０１Ｂの先端１０１Ａは面取されている。
【００３６】
内部ハウジング１０３は小径部１０１Ｂの内周形状に対応した円柱形状の絶縁部材であり、小径部１０１Ｂ内に設けられている。
【００３７】
また、内部ハウジング１０３の端部は外部に露出しており、端部には凹部１０３Ａが設けられている（図１参照）。凹部１０３Ａにはコンタクト１０８が固定されている。
【００３８】
ロックレバー１０４は、インレット２と嵌合する方向（Ｘ方向）を向くように大径部１０１Ｃに設けられた棒状の部材であり、回転軸１０４Ｄによって図３のＡ１、Ａ２の向き、即ち外殻シェル１０１の外側および内側の向きに回転可能に保持されている。
【００３９】
回転軸１０４Ｄは、外殻シェル１０１の軸方向と交差する方向（ここではＹ方向）を向くようにして、外殻シェル１０１の大径部１０１Ｃの内壁に固定されている。
【００４０】
また、ロックレバー１０４はＸ方向正の向きの端部に設けられた爪状のロック部１０４Ａを有している。
【００４１】
図３では、ロック部１０４Ａはロックレバー１０４の上側、すなわちコネクタ１の外殻シェル１０１からＺ方向正の向きに突出して設けられており、インレット２のインレット側ロック部２０２と接触し合う爪状の形状を有している。
【００４２】
また、ロックレバー１０４は、外殻シェル１０１の大径部１０１Ｃの内部に設けられているが、少なくともロック部１０４Ａが外部に露出している。
【００４３】
より具体的には、ロック部１０４Ａは、大径部１０１Ｃと小径部１０１Ｂの連結部分に設けられた開口部１０１Ｄから外部に露出している。
【００４４】
なお、ロックレバー１０４の、回転軸１０４Ｄを挟んでロック部１０４Ａと反対側の部分は、リリースレバー１０５およびスイッチ１０６と接触する操作部１０４Ｃを形成しており、操作部１０４Ｃは大径部１０１Ｃの内部に設けられている。
【００４５】
さらに、大径部１０１Ｃと操作部１０４Ｃの間で、操作部１０４ＣのＺ方向正の向き側にはＶ字状の板ばね１０４Ｂが設けられている。板ばね１０４Ｂは、ロックレバー１０４に対しロック部１０４Ａがコネクタ１の外側に回転する向き（図３のＡ１の向き）に回転力を与えている。
【００４６】
一方で、ロックレバー１０４のロック部１０４Ａ近傍のＺ方向正の向きの面は開口部１０１Ｄに接触するとそれ以上Ａ１の向きに回転するのを阻止される。
【００４７】
さらに、ロックレバー１０４の操作部１０４Ｃ側の端部は、大径部１０１ＣからＹ方向正の向きに突出するように設けられたロックレバー用ストッパ１６１と操作部１０４ＣのＺ方向負の向きの面が接触すると、それ以上Ａ１の向きに回転するのを阻止される（図１４参照）。
【００４８】
スイッチ機構１１１はロックレバー１０４に操作されるとコネクタ１とインレット２との導通を可能にする信号を生成し、ロックレバー１０４に操作されていない状態ではコネクタ１とインレット２との導通を遮断する信号を生成するか、あるいはコネクタ１とインレット２との導通を可能にする信号を生成しないスイッチ１０６を含む部材であり、スイッチ１０６と、スイッチ１０６を保持する移動プレート１３１を少なくとも有する。
【００４９】
スイッチ１０６は図示しない接点を有するスイッチであり、ケーブル１０９を介して図示しない充電器の制御部と電気的に接続されている。スイッチ１０６はばね片１０６Ａを有しており、ロックレバー１０４の操作部１０４Ｃによってばね片１０６Ａが押圧されることにより、コネクタ１とインレット２の導通を可能にする信号を生成し、ケーブル１０９を介して図示しない充電器に送信する。一方で、ばね片１０６Ａへの押圧が解除されると、コネクタ１とインレット２の導通を遮断する信号を生成するか、あるいはコネクタ１とインレット２の導通を可能にする信号を生成しなくなる。
【００５０】
図４および図５に示すように、スイッチ１０６は大径部１０１Ｃの内部に設けられた移動プレート１３１に保持されている。
【００５１】
移動プレート１３１はその面方向がＸ−Ｚ平面に平行な板状の部材であり、Ｘ方向に延びる長板状の形状を有する。
【００５２】
また、移動プレート１３１はＸ方向の正の向きの端部が移動プレート保持軸１３１Ａによって外殻シェル１０１に回転可能に保持されており、Ｘ−Ｚ平面上を図３および図４のＡ１、Ａ２の向きに回転可能である。移動プレート保持軸１３１ＡはＹ方向を向くようにして外殻シェル１０１の大径部１０１Ｃの内壁に固定されている。
【００５３】
さらに、移動プレート１３１はＸ方向の負の向きの端部にカバー１２１のカバー側突起１５５と接触し合う移動プレート側突起１３３を有する。
【００５４】
また、移動プレート１３１は、移動プレート保持軸１３１Ａと移動プレート側突起１３３の間にＺ方向の負の向きの端部からＺ方向の正の向きに向けて形成された切欠き部１３５を有する。
【００５５】
切欠き部１３５にはＸ方向の負の向きに向けて突出した鉤状の移動プレート側引掛け部１３７を設けている。
【００５６】
さらに、移動プレート１３１のＺ方向負の向き側の端面は切欠き部１３５から移動プレート側突起１３３に向けてＺ方向の正の向きに傾斜したガイド部１３９を有している。
【００５７】
また、スイッチ１０６は移動プレート保持軸１３１Ａと切欠き部１３５の間に設けられている。
【００５８】
一方、外殻シェル１０１には、移動プレート１３１に対してＺ方向の負の向きに並ぶように固定プレート１４１が設けられている。固定プレート１４１はその面方向がＸ−Ｚ平面に平行な板状の部材であるが、外殻シェル１０１に固定されており、移動プレート１３１とは異なり、移動することはない。
【００５９】
一方で、固定プレート１４１はＺ方向の正の向き側に突出した鉤状の固定プレート側引掛け部１４３を有している。
【００６０】
さらに、移動プレート側引掛け部１３７と固定プレート側引掛け部１４３を連結するようにコイルばね１４５が設けられている。
【００６１】
この構成により、移動プレート１３１は常に固定プレート１４１側に引っ張られることになる。
【００６２】
一方で、カバー１２１は、大径部１０１Ｃにおいて、コネクタ１がインレット２と嵌合する向きに対して逆の向きの端部（Ｘ方向の負の向きの端部）に設けられており、カバー１２１および大径部１０１ＣをＸ方向に貫くように設けられたカバー止めネジ１５１によって大径部１０１Ｃに固定可能となっている（図３参照）。
【００６３】
即ち、カバー１２１は、カバー止めネジ１５１を外して、コネクタ１がインレット２と嵌合する向きに対して逆向き（Ｘ方向負の向き）に移動させることにより、大径部１０１Ｃから取り外すことができる。
【００６４】
カバー１２１は、大径部１０１Ｃの後端（Ｘ方向負の向きの端部）に設けられた強制解除治具挿入孔１１３（図６参照）を塞ぐように設けられている。
【００６５】
なお、強制解除治具挿入孔１１３は、カバー１２１が大径部１０１Ｃから外された状態（カバー側突起１５５と移動プレート側突起１３３が互いに接触していない状態）では強制解除治具挿入孔１１３を介してロックレバー１０４を視認できる位置に設けられている。
【００６６】
さらに、図４に示すように、カバー１２１は大径部１０１Ｃを覆う蓋状のカバー本体１５３と、カバー本体１５３からＸ方向の正の向きに突出したカバー側突起１５５を有している。カバー側突起１５５は移動プレート側突起１３３と接触し合う部材であり、移動プレート側突起１３３に対してＺ方向の負の向き側から移動プレート側突起１３３と接触することにより、移動プレート側突起１３３と接触し合う。
【００６７】
この状態（図４に示す状態）では移動プレート１３１はコイルばね１４５によって固定プレート１４１側（Ｚ方向負の向き）に引っ張られるものの、Ｘ方向の正の向き側の端部が移動プレート保持軸１３１Ａに、Ｘ方向の負の向き側の端部がカバー側突起１５５に支持されている。そのため、移動プレート１３１は図４の状態から移動することはない。ここでは図４（および図５の実線）に示すスイッチ機構１１１の位置（移動プレート１３１およびスイッチ１０６の位置）を第１の位置Ｐ１とする。
【００６８】
一方で、図４の状態において、カバー１２１を大径部１０１Ｃから取り外す等してＸ方向の負の向きに移動させ、カバー側突起１５５を移動プレート側突起１３３から外す（カバー側突起１５５と移動プレート側突起１３３が互いに接触しない状態にする）と、移動プレート１３１はコイルばね１４５によってＺ方向の負の向きに引っ張られ、移動プレート保持軸１３１Ａを中心に図５のＡ１の向きに回転し、図５の点線で示す位置に移動する。ここでは図５の点線で示すスイッチ機構１１１の位置（移動プレート１３１およびスイッチ１０６の位置）を第２の位置Ｐ２とする。
【００６９】
第２の位置Ｐ２は第１の位置Ｐ１よりもスイッチ１０６の位置がよりＺ方向の負の向きに位置するため、第２の位置Ｐ２ではロックレバー１０４の操作部１０４Ｃはスイッチ１０６のばね片１０６Ａを操作（押圧）不可能である。
【００７０】
このように、コネクタ１において、スイッチ機構１１１は第１の位置Ｐ１と第２の位置Ｐ２の間を移動可能であり、第１の位置Ｐ１へのスイッチ機構１１１の保持をカバー１２１のカバー側突起１５５およびスイッチ機構１１１の移動プレート側突起１３３が担っている。さらに、移動プレート１３１は常にコイルばね１４５によって第１の位置Ｐ１から第２の位置Ｐ２に向けて（Ｚ方向負の向きに）力を加えられている。
【００７１】
図３に示すように、リリースレバー１０５は、ロックレバー１０４と（Ｚ方向の投影面が）一部重なるように、ロックレバー１０４のＸ方向正の向きに向かって配置された、棒状の部材が「く」の字状に折れ曲がった形状を有する。リリースレバー１０５は折れ曲がった部分に位置する回転軸１０５Ｃによってロックレバー１０４と同じ向き、即ち図３のＡ１、Ａ２の向きに回転可能に設けられている。
【００７２】
回転軸１０５Ｃは、外殻シェル１０１のＹ方向を向くように外殻シェル１０１の大径部１０１Ｃの内壁に固定されている。
【００７３】
リリースレバー１０５は、外殻シェル１０１の大径部１０１Ｃ内に設けられており、ロックレバー１０４に近い側の端部がロックレバー１０４の操作部１０４Ｃと接触するロックレバー側端部１０５Ｂを形成している。
【００７４】
ロックレバー側端部１０５Ｂは操作部１０４Ｃの下面と接触可能に設けられている。
【００７５】
さらに、リリースレバー１０５は、ロックレバー１０４から遠い側の端部が大径部１０１Ｃの外部に露出しており、この端部には図３のＢ１の向き、即ち、外殻シェル１０１の内側に押圧可能なボタン状のリリースボタン１０５Ａを形成している。
【００７６】
具体的には、リリースボタン１０５Ａは大径部１０１ＣのＸ方向負の向きの端部に設けられた開口部１０２Ａから外部に露出している。
【００７７】
なお、回転軸１０５Ｃにはトーションばね１０５Ｄが設けられている。トーションばね１０５Ｄはロックレバー１０４に、ロックレバー側端部１０５Ｂが操作部１０４Ｃから離れる向き（図３のＡ２の向き）に回転力を与えている。
【００７８】
ただし、リリースボタン１０５Ａは開口部１０２ＡにＺ方向の正の向きに接触すると、それ以上のＺ方向の正の向きへの移動を阻止されるので、図３よりもＡ２の向きに回転することはない。
【００７９】
以上がコネクタ１およびインレット２の構造の詳細についての説明である。
【００８０】
次に、コネクタユニット２００の嵌合時のロックレバー１０４、スイッチ１０６、およびリリースレバー１０５の動作について、図２および図７〜図１０を参照して説明する。
【００８１】
まず、嵌合開始前の状態、即ち、コネクタ１とインレット２が全く接触していない状態では、ロックレバー１０４、スイッチ１０６、およびリリースレバー１０５は図２に示す状態にある。
【００８２】
具体的には、ロックレバー１０４の操作部１０４Ｃはスイッチ１０６のばね片１０６Ａを押圧した状態である。一方でリリースレバー１０５のロックレバー側端部１０５Ｂはロックレバー１０４の操作部１０４Ｃを押圧していない。ただし、この状態でも、図示しない充電器はコネクタ１のコンタクト１０８とインレット２のコンタクト２０３が接触しているか否かを図示しない接触検知回路で検知しており、接触していない場合は充電を開始しないので、図２に示す状態で漏電することはない。
【００８３】
また、ロックレバー１０４およびリリースレバー１０５はそれぞれ板ばね１０４Ｂおよびトーションばね１０５Ｄによって図２の位置に保持されている。
【００８４】
より具体的には、ロックレバー１０４は、板ばね１０４ＢによってＡ１の向きに回転力を与えられているが、図３の状態では、開口部１０１Ｄに突き当たっているため、回転軸１０４Ｄと開口部１０１Ｄの二箇所で支持され、この状態に保持されている。
【００８５】
一方、リリースレバー１０５は、トーションばね１０５Ｄ（図３参照）によってＡ２の向きに回転力を与えられているが、リリースボタン１０５Ａが開口部１０２Ａ（図３参照）に突き当たっているため、回転軸１０５Ｃと開口部１０２Ａの二箇所で支持され、この状態に保持されている。
【００８６】
次に、図２に示す状態から、コネクタ１の外殻シェル１０１の小径部１０１Ｂがインレット２のハウジング２０１内に挿入される。
【００８７】
具体的には、作業者はコネクタ１のグリップ１０２を握って、先端１０１Ａをガイドにして外殻シェル１０１の小径部１０１Ｂをインレット２のハウジング２０１内に挿入する。
【００８８】
すると、図７に示すように、ロックレバー１０４のロック部１０４Ａはハウジング２０１の内壁と接触し、板ばね１０４Ｂの弾性力に逆らって回転軸１０４Ｄを中心にＡ２の向きに回転してＺ方向の負の向きに押し下げられる。 
この状態が中途嵌合状態である。
【００８９】
この状態ではコネクタ１の内部ハウジング１０３（小径部１０１Ｂ）は、大部分がインレット２のハウジング２０１内にあるが、コネクタ１のコンタクト１０８は、インレット２のコンタクト２０３に接触しているのみで、ロックされておらず完全に嵌合していない。
【００９０】
そのため、この状態で仮に充電を開始すると漏電が生じ、作業者への感電等の極めて危険な状態が生じる恐れがある。
【００９１】
しかしながら、この状態では、ロック部１０４Ａが押し下げられることによってロックレバー１０４の操作部１０４Ｃがスイッチ１０６のばね片１０６Ａから離れる（操作部１０４Ｃがばね片１０６Ａを押圧しなくなる）。
【００９２】
この状態ではスイッチ１０６は、コネクタ１とインレット２の導通を遮断する信号を生成する。あるいはスイッチ１０６はコネクタ１とインレット２の導通を可能にする信号を生成しなくなる。
【００９３】
そのため、中途嵌合中はコネクタ１とインレット２は導通せず、充電が開始されることはない。
【００９４】
次に、図７の状態からさらにコネクタ１の挿入を進め、ロック部１０４Ａがハウジング２０１の内壁を乗り越えてインレット側ロック部２０２に達すると、図８に示すように、ロックレバー１０４は板ばね１０４Ｂの弾性力によってＡ１の向きに回転して、ロック部１０４Ａがインレット側ロック部２０２と接触し合う。
【００９５】
この状態では、操作部１０４Ｃは再びばね片１０６Ａを押圧するため、スイッチ１０６はコネクタ１とインレット２の導通を可能にする信号を生成する。
【００９６】
即ち、充電が可能となるため、ケーブル９を通してコネクタ１からインレット２へと電流が流れ、充電が行われる。
【００９７】
また、この状態では、前述の通り、ロック部１０４Ａがインレット側ロック部２０２と接触し合っているため、インレット２とコネクタ１は互いにロックされた状態にあり、不意に外れる恐れはない。
【００９８】
充電が終了すると、作業者はリリースレバー１０５のリリースボタン１０５Ａを図８のＢ１の向きに押圧する。
【００９９】
すると、図９に示すように、リリースレバー１０５はトーションばね１０５Ｄの弾性力に逆らって回転軸１０５Ｃを中心にＡ１の向きに回転し、ロックレバー側端部１０５Ｂが操作部１０４Ｃと接触してこれをＺ方向の正の向きに押圧する。
【０１００】
操作部１０４ＣがＺ方向の正の向きに押圧されると、ロックレバー１０４は板ばね１０４Ｂの弾性力に逆らって回転軸１０４Ｄを中心にＡ２の向きに回転し、ロック部１０４ＡがＺ方向の負の向きに押し下げられる。
【０１０１】
一方で、ロックレバー１０４の操作部１０４ＣはＺ方向の正の向きに押し上げられてスイッチ１０６のばね片１０６Ａから離れるため、スイッチ１０６はコネクタ１とインレット２の導通を遮断する信号を生成する。あるいはスイッチ１０６はコネクタ１とインレット２の導通を可能にする信号を生成しなくなる。
【０１０２】
さらに、Ｚ方向の負の向きに押し下げられたロック部１０４Ａはインレット側ロック部２０２から離れ、ロック部１０４Ａとインレット側ロック部２０２の接触が解除される。
【０１０３】
この状態では、コネクタ１とインレット２は導通しておらず、またロックもされていないため、図１０に示すように漏電の恐れなくコネクタ１をインレット２から引き抜くことができる。
【０１０４】
なお、コネクタ１をインレット２から引き抜き、リリースレバー１０５への押圧を解除すると、ロックレバー１０４およびリリースレバー１０５はそれぞれ板ばね１０４Ｂおよびトーションばね１０５Ｄの弾性力によってＡ１、Ａ２の向きに回転し、図２に示す嵌合前の状態に戻る。
【０１０５】
以上が、コネクタユニット２００の嵌合時のロックレバー１０４、スイッチ１０６、およびリリースレバー１０５の動作の説明である。
【０１０６】
次に、コネクタ１とインレット２が嵌合した状態で、リリースレバー１０５の破損や異物の侵入等により、ロックレバー１０４が動かなくなった場合のロックの強制解除の手順、およびコネクタ１のインレット２からの緊急離脱の手順について、図５、図８、図１１および図１２を参照して説明する。
【０１０７】
まず、図８に示す状態でロックレバー１０４が動かなくなったとする。 
この場合、まず、作業者は図１１に示すようにカバー止めネジ１５１を大径部１０１Ｃから外してカバー１２１を大径部１０１Ｃから取り外す。
【０１０８】
すると、図５に示すように、カバー１２１のカバー側突起１５５が移動プレート１３１の移動プレート側突起１３３から外される。
【０１０９】
これにより、図５に示すように移動プレート１３１はコイルばね１４５によってＺ方向の負の向きに引っ張られ、移動プレート保持軸１３１Ａを中心に図５のＡ１の向きに回転し、スイッチ機構１１１が第２の位置Ｐ２に移動する。これにより、ロックレバー１０４がスイッチ１０６を操作不可能となる位置にスイッチ１０６が置かれる（操作部１０４Ｃがばね片１０６Ａから離れる）ため、スイッチ１０６はコネクタ１とインレット２の導通を遮断する信号を生成する。あるいはスイッチ１０６はコネクタ１とインレット２の導通を可能にする信号を生成しなくなる。 
よって、この状態ではコネクタ１とインレット２は導通しなくなる。
【０１１０】
また、カバー１２１が大径部１０１Ｃから取り外されたことにより、強制解除治具挿入孔１１３がコネクタ１の外部に露出するため、作業者は強制解除治具挿入孔１１３を介してロックレバー１０４を視認可能となる（図６参照）。
【０１１１】
次に、図１２に示すように、作業者は強制解除治具挿入孔１１３（図６参照）を介してドライバー等の強制解除治具１９１を大径部１０１Ｃ内に挿入し、ロックレバー１０４の操作部１０４ＣをＺ方向の正の向きに強制的に押し上げるなどしてロックレバー１０４をＡ２の向きに回転させ、ロック部１０４Ａをインレット側ロック部２０２から外してロックを強制解除する。
【０１１２】
次に、この状態でコネクタ１をインレット２から抜き出す（緊急離脱）。抜き出したコネクタ１は、必要に応じてロックレバー１０４が動かなくなった原因を作業者が調査し、原因を取り除くことにより、再度ロックレバー１０４が動くようにする。
【０１１３】
これでコネクタ１は図１３に示す状態となり、強制解除および緊急離脱が完了する。
【０１１４】
なお、図１４に示すように、ロックレバー１０４の操作部１０４Ｃ側の端部は、大径部１０１ＣからＹ方向正の向きに突出するように設けられたロックレバー用ストッパ１６１とＺ方向負の向きの面が接触すると、ロックレバー１０４がそれ以上Ａ１の向きに回転するのを阻止される。そのため、強制解除の際に回転軸１０４Ｄが外れる等してロックレバー１０４が大径部１０１Ｃに保持されない状態になったとしても、ロックレバー１０４はＺ方向負の向きに落下してスイッチ１０６を誤って操作してしまうことはない。
【０１１５】
また、コネクタ１はロックを強制解除するためには強制解除治具挿入孔１１３を外部に露出させる必要があるため、カバー１２１を大径部１０１Ｃから取り外す必要があるが、カバー１２１を大径部１０１Ｃから取り外すとスイッチ機構１１１が第２の位置Ｐ２に移動するため、ばね片１０６Ａの押圧状態が解除されてコネクタ１とインレット２の導通が遮断される。
【０１１６】
そのため、強制解除の際には常にコネクタ１とインレット２の導通が遮断した状態となるため、強制解除の際の漏電や作業者の感電の恐れはない。 
よって、コネクタ１は従来よりも安全に強制解除が可能である。
【０１１７】
さらに、カバー１２１は大径部１０１Ｃの後端に設けられている。即ちカバー１２１は嵌合する方向Ｘにおいて先端１０１Ａとは逆向きの端部に設けられている。
【０１１８】
そのため、カバー１２１はインレット２の周囲の構造に邪魔されることなく、取り外すことができる。
【０１１９】
具体的には、インレット２は例えば自動車側に取り付けられるコネクタであるため、自動車の構造によってはインレット２が自動車の外装からさらに奥（内部）に設けられている場合があり、インレット２とコネクタ１が嵌合した状態ではコネクタ１の先端１０１Ａ側の大部分が外部から見えなくなる可能性がある。
【０１２０】
しかしながらこのような場合でもカバー１２１が大径部１０１Ｃの後端に設けられていれば、カバー１２１の取り外しは容易である。
【０１２１】
以上が強制解除および緊急離脱の手順の説明である。
【０１２２】
次に、緊急離脱後に、再度ロックレバー１０４が動くようになったコネクタ１を使用可能な状態に復帰させるための手順について図１３〜図２１を参照して説明する。
【０１２３】
上記の通り、強制解除の際にはスイッチ機構１１１が第２の位置Ｐ２に移動し、ロックレバー１０４がスイッチ１０６を操作不可能な位置に置かれる。よって、この状態ではスイッチ１０６はコネクタ１とインレット２の導通を遮断する信号を生成するか、導通を可能にする信号を生成しなくなる。そのため、緊急離脱後のコネクタ１を使用可能な状態に戻すにはロックレバー１０４を再度動くようにするだけでは不十分であり、さらにスイッチ機構１１１を第１の位置Ｐ１に復帰させた上で、第１の位置Ｐ１にスイッチ機構１１１を保持する手順が必要である。以下、この手順を復帰の手順と称し、具体的な復帰の手順について以下に説明する。
【０１２４】
まず、図１３および図１４に示す状態で、作業者は図１５に示す大径部１０１ＣのＹ方向負の向きの側面に取り付けられたキャップ１７１を取り外す。
【０１２５】
キャップ１７１は図１６に示す復帰孔１７３を塞ぐ部材であるため、キャップ１７１を外すことにより、復帰孔１７３が露出する。
【０１２６】
復帰孔１７３は移動プレート１３１のガイド部１３９を外部から視認できる位置にあるため、復帰孔１７３を露出させると、作業者はガイド部１３９を外部から視認できる。
【０１２７】
次に、作業者は図１６に示す復帰用治具１８１を用意する。
【０１２８】
復帰用治具１８１は、図１６に示すように、丸棒状のグリップ１８３と、グリップ１８３の先端に設けられ、グリップ１８３よりも径が小さい丸棒状（軸形状）の挿入部１８５と、挿入部１８５の径方向に突出するように挿入部１８５の先端部に設けられ、ガイド部１３９と接触する板状の鍵部１８７を有している。
【０１２９】
次に、図１７〜図１９に示すように作業者は復帰用治具１８１の挿入部１８５を復帰孔１７３から大径部１０１Ｃ内に挿入する。さらに、図２０および図２１に示すように、作業者はグリップ１８３をＡ２の向きに回転させ、鍵部１８７を移動プレート１３１のガイド部１３９に接触させる。
【０１３０】
次に、作業者はグリップ１８３を図２０および図２１のＡ２の向きに回転させる。すると、鍵部１８７はＡ２の向きに回転しつつ、移動プレート１３１のガイド部１３９をガイドにして移動プレート１３１（スイッチ機構１１１）をＺ方向正の向きに押し上げる。
【０１３１】
図２２および図２３に示すように、スイッチ機構１１１が第１の位置Ｐ１（図５参照）まで押し上げられると、作業者はグリップ１８３の回転を止め、カバー１２１を大径部１０１Ｃに再度装着する。
【０１３２】
これにより、図４等に示すように、カバー１２１のカバー側突起１５５が移動プレート１３１の移動プレート側突起１３３と再び接触し合うため、スイッチ機構１１１の位置が図５に示す第１の位置Ｐ１に保持される。
【０１３３】
この状態では、ロックレバー１０４は再びスイッチ１０６を操作可能になるため、スイッチ１０６はコネクタ１とインレット２の導通を可能にする信号を生成可能となり、コネクタ１が再び利用可能になる。
【０１３４】
次に、作業者は復帰用治具１８１の挿入部１８５を復帰孔１７３から引き抜き、復帰孔１７３をキャップ１７１で塞ぐ。
【０１３５】
最後に、作業者はカバー止めネジ１５１でカバー１２１を大径部１０１Ｃに固定する。
【０１３６】
以上が、再度ロックレバー１０４が動くようになったコネクタ１を使用可能な状態に復帰させるための手順の説明である。
【０１３７】
このように、本実施形態によれば、コネクタ１はインレット２との嵌合状態をロックする回転可能なロックレバー１０４と、ロックレバー１０４に操作されるとインレット２との導通を可能にする信号を生成し、ロックレバー１０４に操作されていない状態ではコネクタ１とインレット２との導通を遮断する信号を生成するか、あるいはコネクタ１とインレット２との導通を可能にする信号を生成しないスイッチ１０６を含み、第１の位置Ｐ１と第２の位置Ｐ２の間を移動可能に設けられたスイッチ機構１１１と、ロックレバー１０４およびスイッチ機構１１１を収納する外殻シェル１０１と、外殻シェル１０１の外部に少なくとも一部が露出するように外殻シェル１０１に設けられ、カバー側突起１５５を有するカバー１２１を有し、スイッチ機構１１１はカバー側突起１５５と接触することによりスイッチ機構１１１を第１の位置Ｐ１に保持する移動プレート側突起１３３を有し、ロックレバー１０４は、回転の中心となる回転軸１０４Ｄと、インレット２と接触し合うロック部１０４Ａと、回転軸１０４Ｄに対してロック部１０４Ａと反対側に設けられ、スイッチ１０６を操作可能な操作部１０４Ｃを有し、第１の位置Ｐ１にスイッチ機構１１１がある場合、ロックレバー１０４が回転することにより操作部１０４Ｃがスイッチ１０６を操作可能であり、カバー側突起１５５と移動プレート側突起１３３が接触していない状態では、スイッチ機構１１１は第２の位置Ｐ２に設けられ、スイッチ機構１１１が第２の位置Ｐ２にある場合、操作部１０４Ｃがスイッチ１０６を操作不可能である。 
そのため、コネクタ１は従来よりも安全に強制解除が可能である。
【産業上の利用可能性】
【０１３８】
以上、本発明を実施形態に基づいて説明したが、本発明は当該実施形態に限定されない。
【０１３９】
当業者であれば、本発明の技術的範囲内において各種の変形例および改良例に想到するのは当然のことであり、これらも本発明の範囲に含まれるものと了解される。
【０１４０】
例えば上記した実施形態ではスイッチ機構１１１として、移動プレート１３１を介してカバー１２１とスイッチ１０６が接触し合う構造を例示したが、スイッチ機構１１１の構造は移動プレート１３１を設けずにスイッチ１０６とカバー１２１が直接接触し合う構造でもよい。
【０１４１】
また、上記した実施形態ではカバー１２１が外殻シェル１０１の外部に設けられているが、カバー１２１は少なくとも一部が外殻シェル１０１の外部に露出していればよいので、例えばカバー１２１が開閉可能な窓のように、一部が外殻シェルの外部に露出し、他の部分が外殻シェル１０１の内部に設けられた構造でもよい。
【０１４２】
さらに、上記した実施形態ではスイッチ機構１１１からカバー１２１が脱着可能な構造を有しているが、カバー側突起１５５と移動プレート側突起１３３が接触した状態でスイッチ機構１１１が第１の位置Ｐ１に保持され、接触していない状態でスイッチ機構１１１が第２の位置Ｐ２に保持される構造であれば、スイッチ機構１１１とカバー１２１が常に接触して脱着しない構造であってもよい。
【符号の説明】
【０１４３】
１        ：コネクタ
２        ：インレット
４        ：スライドスイッチ
１０      ：第１搖動アーム
１１      ：抜け止めフック
１３      ：軸
１００    ：車両用充電コネクタ
１０１    ：外殻シェル
１０１Ａ  ：先端
１０１Ｂ  ：小径部
１０１Ｃ  ：大径部
１０１Ｄ  ：開口部
１０２    ：グリップ
１０２Ａ  ：開口部
１０３    ：内部ハウジング
１０３Ａ  ：凹部
１０４    ：ロックレバー
１０４Ａ  ：ロック部
１０４Ｂ  ：板ばね
１０４Ｃ  ：操作部
１０４Ｄ  ：回転軸
１０５    ：リリースレバー
１０５Ａ  ：リリースボタン
１０５Ｂ  ：ロックレバー側端部
１０５Ｃ  ：回転軸
１０５Ｄ  ：トーションばね
１０６    ：スイッチ
１０６Ａ  ：ばね片
１０８    ：コンタクト
１０９    ：ケーブル
１１１    ：スイッチ機構
１１３    ：強制解除治具挿入孔
１２１    ：カバー
１３１    ：移動プレート
１３１Ａ  ：移動プレート保持軸
１３３    ：移動プレート側突起
１３５    ：切欠き部
１３７    ：移動プレート側引掛け部
１３９    ：ガイド部
１４１    ：固定プレート
１４３    ：固定プレート側引掛け部
１４５    ：コイルばね
１５１    ：カバー止めネジ
１５３    ：カバー本体
１５５    ：カバー側突起
１６１    ：ロックレバー用ストッパ
１７１    ：キャップ
１７３    ：復帰孔
１８１    ：復帰用治具
１８３    ：グリップ
１８５    ：挿入部
１８７    ：鍵部
１９１    ：強制解除治具
２００    ：コネクタユニット
２０１    ：ハウジング
２０２    ：インレット側ロック部
２０３    ：コンタクト
２０４    ：ケーブル
Ｐ１      ：第１の位置
Ｐ２      ：第２の位置
Ｒ１      ：領域
Ｒ２      ：領域
Ｒ３      ：領域
【図１】
0006452563.tif 000002
【図２】
0006452563.tif 000003
【図３】
0006452563.tif 000004
【図４】
0006452563.tif 000005
【図５】
0006452563.tif 000006
【図６】
0006452563.tif 000007
【図７】
0006452563.tif 000008
【図８】
0006452563.tif 000009
【図９】
0006452563.tif 000010
【図１０】
0006452563.tif 000011
【図１１】
0006452563.tif 000012
【図１２】
0006452563.tif 000013
【図１３】
0006452563.tif 000014
【図１４】
0006452563.tif 000015
【図１５】
0006452563.tif 000016
【図１６】
0006452563.tif 000017
【図１７】
0006452563.tif 000018
【図１８】
0006452563.tif 000019
【図１９】
0006452563.tif 000020
【図２０】
0006452563.tif 000021
【図２１】
0006452563.tif 000022
【図２２】
0006452563.tif 000023
【図２３】
0006452563.tif 000024
【図２４】
0006452563.tif 000025